(57)【要約】【課題】飲料取出器具をダウンチューブ組立体に取り付ける作業を容易にする飲料取出器具、および、飲料取出器具をダウンチューブ組立体に取り付ける取付方法を提供する。【解決手段】飲料取出器具は、ダウンチューブ組立体の鍔部に装着する飲料取出器具である。ダウンチューブ組立体は、飲料取出弁と、３つの直線状外縁部および３つの円弧状外縁部によって形成される角丸三角形形状外縁部を有する鍔部と、ダウンチューブとを有する。また、飲料取出器具は、プランジャ部材と、ハンドル部材と、取付部とを具備する。取付部は、鍔部の上方に配置される上壁と、鍔部の周囲に配置される側壁と、側壁から内側に向けて突出し、鍔部に係合する係合突起とを備える。取付部には、鍔部の直線状外縁部と係合突起とを位置合わせするための位置合わせマークが形成されている。位置合わせマークは、取付部を上から見た時に視認可能である。【選択図】図４
2020100437.tif 000002
【特許請求の範囲】
【請求項１】
飲料取出弁と、３つの直線状外縁部および３つの円弧状外縁部によって形成される角丸三角形形状外縁部を有する鍔部と、ダウンチューブとを有するダウンチューブ組立体の前記鍔部に装着する飲料取出器具であって、
前記飲料取出弁の弁体を押圧するプランジャ部材と、
前記プランジャ部材を押し下げることが可能、かつ、引き上げることが可能なハンドル部材と、
前記鍔部に取り付けられる取付部と
を具備し、
前記取付部は、
前記鍔部の上方に配置される上壁と、
前記鍔部の周囲に配置される側壁と、
前記側壁から内側に向けて突出し、前記鍔部に係合する係合突起と
を備え、
前記取付部には、前記鍔部の前記直線状外縁部と前記係合突起とを位置合わせするための位置合わせマークが形成されており、
前記位置合わせマークは、前記取付部を上から見た時に視認可能である
飲料取出器具。
【請求項２】
前記取付部の前記位置合わせマークは、平面視で、角丸三角形形状部分を備える
請求項１に記載の飲料取出器具。
【請求項３】
前記角丸三角形形状部分の向きが、前記角丸三角形形状外縁部の向きと整合するとき、前記直線状外縁部と前記係合突起とが位置合わせされるように構成されている
請求項２に記載の飲料取出器具。
【請求項４】
前記角丸三角形形状部分の直線部に対応する領域の下方に、前記係合突起が配置されている
請求項２または３に記載の飲料取出器具。
【請求項５】
前記角丸三角形形状部分の角丸部は、前記取付部の外縁によって形成されている
請求項２乃至４のいずれか一項に記載の飲料取出器具。
【請求項６】
前記角丸三角形形状部分の直線部は、平面視で、前記取付部の外縁上に配置されているか、あるいは、前記取付部の外縁よりも内側に配置されている
請求項２乃至５のいずれか一項に記載の飲料取出器具。
【請求項７】
前記位置合わせマークは、少なくとも１つの直線部を有し、
前記少なくとも１つの直線部と、３つの前記直線状外縁部のうちの１つとが平行に配置されることにより、３つの前記直線状外縁部のうちの１つと前記係合突起とが位置合わせされるように構成されている
請求項１乃至３のいずれか一項に記載の飲料取出器具。
【請求項８】
前記上壁は、
第１表面と、
前記第１表面に対して非平行な第２表面と
を有し、
前記直線部は、前記第１表面と前記第２表面との境界によって形成されている
請求項７に記載の飲料取出器具。
【請求項９】
前記第２表面は、前記プランジャ部材の中心軸から離れるにつれて高さが低くなる傾斜面であり、
前記上壁の内面のうち前記第２表面の直ぐ裏側に位置する表面は、前記プランジャ部材の中心軸から離れるにつれて高さが低くなる傾斜面である
請求項８に記載の飲料取出器具。
【請求項１０】
飲料取出器具をダウンチューブ組立体に取り付ける取付方法であって、
前記ダウンチューブ組立体は、
飲料取出弁と、
３つの直線状外縁部および３つの円弧状外縁部によって形成される角丸三角形形状外縁部を有する鍔部と、
ダウンチューブと
を具備し、
前記取付方法は、
前記ダウンチューブ組立体が組み込まれた飲料容器を準備する工程と、
前記飲料取出器具の取付部の係合突起と、前記３つの直線状外縁部のうちの１つとを位置合わせする位置合わせ工程と、
前記飲料取出器具の前記取付部を、前記ダウンチューブ組立体の前記鍔部に対して相対回転させることにより、前記取付部の前記係合突起と、前記３つの円弧状外縁部のうちの１つとを互いに係合する工程と
を備え、
前記位置合わせ工程は、
前記取付部の角丸三角形形状部分の向きを、前記角丸三角形形状外縁部の向きと整合させること、または、
前記取付部の少なくとも１つの直線部と、前記３つの直線状外縁部のうちの１つとを平行に配置すること
を含む
取付方法。
【発明の詳細な説明】
【技術分野】
【０００１】
本発明は、飲料取出器具、および、飲料取出器具をダウンチューブ組立体に取り付ける取付方法に関する。
【背景技術】
【０００２】
ビール樽などの飲料容器から飲料を取り出すディスペンスヘッドが知られている。ディスペンスヘッドは、飲料容器の口金部、より具体的には、ダウンチューブ組立体の上端部に取り付けられて、飲料容器から飲料を取り出すために使用される。
【０００３】
関連する技術として特許文献１には、ディスペンスヘッドが開示されている。特許文献１に記載のディスペンスヘッドは、飲料容器の口金のフランジに嵌まり込む円筒状凹部と、円筒状凹部の開口周縁に設けられた爪とを有する。特許文献１に記載のディスペンスヘッドでは、ディスペンスヘッドをフランジに取り付ける際に、当該フランジがディスペンスヘッドによって覆われる。このため、作業者にとって、飲料容器の口金のフランジと、円筒状凹部に設けられた爪とを、短時間で正確に位置合わせすることが難しい。
【先行技術文献】
【特許文献】
【０００４】
【特許文献１】特開２００８−２７３５７２号公報
【発明の概要】
【発明が解決しようとする課題】
【０００５】
本発明の目的は、飲料取出器具をダウンチューブ組立体に取り付ける作業を容易にする飲料取出器具、および、飲料取出器具をダウンチューブ組立体に取り付ける取付方法を提供することである。
【課題を解決するための手段】
【０００６】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００７】
いくつかの実施形態における飲料取出器具は、飲料取出弁（１０２）と、３つの直線状外縁部（１０４ａ、１０４ｂ、１０４ｃ）および３つの円弧状外縁部（１０４ｄ、１０４ｅ、１０４ｆ）によって形成される角丸三角形形状外縁部（１０４）を有する鍔部（１０３）と、ダウンチューブ（１０６）とを有するダウンチューブ組立体（１００）の前記鍔部（１０３）に装着する器具である。前記飲料取出器具は、前記飲料取出弁（１０２）の弁体（１０２ａ）を押圧するプランジャ部材（１０）と、前記プランジャ部材（１０）を押し下げることが可能、かつ、引き上げることが可能なハンドル部材（２０）と、前記鍔部（１０３）に取り付けられる取付部（３０）とを具備する。前記取付部（３０）は、前記鍔部（１０３）の上方に配置される上壁（３２）と、前記鍔部（１０３）の周囲に配置される側壁（３６）と、前記側壁（３６）から内側に向けて突出し、前記鍔部（１０３）に係合する係合突起（３８ａ）とを備える。前記取付部（３０）には、前記鍔部（１０３）の前記直線状外縁部（１０４ａ；１０４ｂ；１０４ｃ）と前記係合突起（３８ａ）とを位置合わせするための位置合わせマーク（４０）が形成されている。前記位置合わせマーク（４０）は、前記取付部（３０）を上から見た時に視認可能である。
【０００８】
上記飲料取出器具において、前記取付部（３０）の前記位置合わせマーク（４０）は、平面視で、角丸三角形形状部分（４１）を備えていてもよい。
【０００９】
上記飲料取出器具において、前記角丸三角形形状部分（４１）の向きが、前記角丸三角形形状外縁部（１０４）の向きと整合するとき、前記直線状外縁部（１０４ａ；１０４ｂ；１０４ｃ）と前記係合突起（３８ａ）とが位置合わせされるように構成されていてもよい。
【００１０】
上記飲料取出器具において、前記角丸三角形形状部分（４１）の直線部（４１ａ）に対応する領域（ＡＲ１）の下方に、前記係合突起（３８ａ）が配置されていてもよい。
【００１１】
上記飲料取出器具において、前記角丸三角形形状部分（４１）の角丸部（４１ｄ；４１ｅ；４１ｆ）は、前記取付部（３０）の外縁によって形成されていてもよい。
【００１２】
上記飲料取出器具において、前記角丸三角形形状部分（４１）の直線部（４１ａ）は、平面視で、前記取付部（３０）の外縁上に配置されているか、あるいは、前記取付部（３０）の外縁よりも内側に配置されていてもよい。
【００１３】
上記飲料取出器具において、前記位置合わせマーク（４０）は、少なくとも１つの直線部（４１ａ）を有していてもよい。また、前記少なくとも１つの直線部（４１ａ）と、３つの前記直線状外縁部（１０４ａ；１０４ｂ；１０４ｃ）のうちの１つとが平行に配置されることにより、３つの前記直線状外縁部（１０４ａ；１０４ｂ；１０４ｃ）のうちの１つと前記係合突起（３８ａ）とが位置合わせされるように構成されていてもよい。
【００１４】
上記飲料取出器具において、前記上壁（３２）は、第１表面（３２ｕ）と、前記第１表面（３２ｕ）に対して非平行な第２表面（３２ａ）とを有していてもよい。また、前記直線部（４１ａ）は、前記第１表面（３２ｕ）と前記第２表面（３２ａ）との境界によって形成されていてもよい。
【００１５】
上記飲料取出器具において、前記第２表面（３２ａ）は、前記プランジャ部材（１０）の中心軸（ＡＸ２）から離れるにつれて高さが低くなる傾斜面であってもよい。また、前記上壁（３２）の内面（３２ｔ）のうち前記第２表面（３２ａ）の直ぐ裏側に位置する表面は、前記プランジャ部材（１０）の中心軸（ＡＸ２）から離れるにつれて高さが低くなる傾斜面（ＡＳ）であってもよい。
【００１６】
いくつかの実施形態における取付方法は、飲料取出器具（１）をダウンチューブ組立体（１００）に取り付ける方法である。前記ダウンチューブ組立体（１００）は、飲料取出弁（１０２）と、３つの直線状外縁部（１０４ａ、１０４ｂ、１０４ｃ）および３つの円弧状外縁部（１０４ｄ、１０４ｅ、１０４ｆ）によって形成される角丸三角形形状外縁部（１０４）を有する鍔部（１０３）と、ダウンチューブ（１０６）とを具備する。前記取付方法は、前記ダウンチューブ組立体（１００）が組み込まれた飲料容器（２００）を準備する工程と、前記飲料取出器具（１）の取付部（３０）の係合突起（３８ａ）と、前記３つの直線状外縁部（１０４ａ、１０４ｂ、１０４ｃ）のうちの１つとを位置合わせする位置合わせ工程と、前記飲料取出器具（１）の前記取付部（３０）を、前記ダウンチューブ組立体（１００）の前記鍔部（１０３）に対して相対回転させることにより、前記取付部（３０）の前記係合突起（３８ａ）と、前記３つの円弧状外縁部（１０４ｄ、１０４ｅ、１０４ｆ）のうちの１つとを互いに係合する工程とを備える。前記位置合わせ工程は、前記取付部（３０）の角丸三角形形状部分（４１）の向きを、前記角丸三角形形状外縁部（１０４）の向きと整合させること、または、前記取付部（３０）の少なくとも１つの直線部（４１ａ）と、前記３つの直線状外縁部（１０４ａ、１０４ｂ、１０４ｃ）のうちの１つとを平行に配置することを含む。
【発明の効果】
【００１７】
本発明により、飲料取出器具をダウンチューブ組立体に取り付ける作業を容易にする飲料取出器具、および、飲料取出器具をダウンチューブ組立体に取り付ける取付方法を提供することができる。
【図面の簡単な説明】
【００１８】
【図１】図１は、実施形態における飲料取出器具が取り付けられるダウンチューブ組立体の一例を模式的に示す概略２面図である。
【図２】図２は、実施形態における飲料取出器具が取り付けられるダウンチューブ組立体の一例を模式的に示す概略斜視図である。
【図３】図３は、第１の実施形態における飲料取出器具を模式的に示す概略縦断面図である。
【図４】図４は、第１の実施形態における飲料取出器具を模式的に示す概略斜視図である。
【図５】図５は、第１の実施形態における飲料取出器具を模式的に示す概略２面図である。
【図６】図６は、ダウンチューブ組立体の鍔部と位置合わせされた状態の取付部の一例を示す概略平面図である。
【図７】図７は、ダウンチューブ組立体の鍔部と位置合わせされた状態の取付部の一例を示す概略平面図である。
【図８】図８は、ダウンチューブ組立体の鍔部と位置合わせされた状態の取付部の一例を示す概略平面図である。
【図９】図９は、第１の実施形態における飲料取出器具を模式的に示す概略斜視図であって、飲料取出器具を斜め下方から見た時の図である。
【図１０】図１０は、第２の実施形態における飲料取出器具を模式的に示す概略２面図である。
【図１１】図１１は、実施形態における飲料取出器具をダウンチューブ組立体に取り付ける取付方法の一例を示すフローチャートである。
【図１２】図１２は、ダウンチューブ組立体が組み込まれた飲料容器の一例を模式的に示す概略縦断面図である。
【図１３】図１３は、ダウンチューブ組立体の鍔部と位置合わせされた状態の取付部の一例を示す概略平面図であって、実施形態における飲料取出器具をダウンチューブ組立体に取り付ける取付方法の一工程を示す図である。
【図１４】図１４は、ダウンチューブ組立体の鍔部と係合状態の取付部の一例を示す概略平面図であって、実施形態における飲料取出器具をダウンチューブ組立体に取り付ける取付方法の一工程を示す図である。
【図１５】図１５は、実施形態における飲料取出器具の一例を示す６面図である。
【図１６】図１６は、図１５のＢ−Ｂ矢視断面図である。
【図１７】図１７は、実施形態における飲料取出器具の一例を示す斜視図である。
【図１８】図１８は、実施形態における飲料取出器具の他の一例を示す６面図である。
【図１９】図１９は、図１８のＣ−Ｃ矢視断面図である。
【図２０】図２０は、実施形態における飲料取出器具の他の一例を示す斜視図である。
【発明を実施するための形態】
【００１９】
以下、実施形態における飲料取出器具１、および、飲料取出器具をダウンチューブ組立体に取り付ける取付方法に関して、添付図面を参照して説明する。なお、以下の説明において、同じ機能を有する部材、部位については、同一の符号が付され、同一の符号が付されている部材、部位について、繰り返しとなる説明は省略される。
【００２０】
（方向の定義）
本明細書において、飲料取出器具１の取付部３０が配置されている側（換言すれば、飲料取出器具１の下端部）から、飲料取出器具１の取付部３０が配置されている側とは反対側（換言すれば、飲料取出器具１の上端部）に向かう方向を上方と定義する。また、上方と反対の方向を下方と定義する。
【００２１】
（飲料取出器具１が取り付けられるダウンチューブ組立体１００）
図１および図２を参照して、実施形態における飲料取出器具１が取り付けられるダウンチューブ組立体１００の一例について説明する。図１は、実施形態における飲料取出器具１が取り付けられるダウンチューブ組立体１００の一例を模式的に示す概略２面図である。図１の上側には、概略平面図が記載され、図１の下側には、上側の図のＡ−Ａ矢視断面図が記載されている。図２は、実施形態における飲料取出器具１が取り付けられるダウンチューブ組立体１００の一例を模式的に示す概略斜視図である。
【００２２】
図１に記載の例におけるダウンチューブ組立体１００は、飲料取出弁１０２と、鍔部１０３と、ダウンチューブ１０６とを有する。飲料取出弁１０２は、飲料流路ＤＰを開閉する弁である。図１に記載の例では、飲料取出弁１０２は、ガス流路ＧＰを開閉する弁としても機能する。図１に記載の例では、飲料取出弁１０２は、リング状の弁体１０２ａを備える。飲料取出弁１０２が閉弁状態のとき、弁体１０２ａの内縁は、ダウンチューブ１０６の上端部と接触し、弁体１０２ａの外縁は、鍔部１０３の内縁部と接触する。
【００２３】
図１に記載の例では、鍔部１０３は、平面視で、角丸三角形形状の外縁を有する。より具体的には、鍔部１０３は、平面視で、３つの直線状外縁部（１０４ａ、１０４ｂ、１０４ｃ）と、３つの円弧状外縁部（１０４ｄ、１０４ｅ、１０４ｆ）とによって形成される角丸三角形形状外縁部１０４を有する。
【００２４】
より具体的には、第１の直線状外縁部１０４ａは、角丸三角形の一辺を構成し、第２の直線状外縁部１０４ｂは、角丸三角形の他の一辺を構成し、第３の直線状外縁部１０４ｃは、角丸三角形の更に他の一辺を構成する。図１に記載の例では、第１の直線状外縁部１０４ａと第２の直線状外縁部１０４ｂとの間のなす角度β３は、６０度であり、第２の直線状外縁部１０４ｂと第３の直線状外縁部１０４ｃとの間のなす角度β１は、６０度であり、第３の直線状外縁部１０４ｃと第１の直線状外縁部１０４ａとの間のなす角度β２は、６０度である。図１に記載の例では、第１の直線状外縁部１０４ａの長さと、第２の直線状外縁部１０４ｂの長さと、第３の直線状外縁部１０４ｃの長さとは、全て等しい。
【００２５】
図１に記載の例では、第１の円弧状外縁部１０４ｄは、角丸三角形の第１の角丸部を構成し、第２の円弧状外縁部１０４ｅは、角丸三角形の第２の角丸部を構成し、第３の円弧状外縁部１０４ｆは、角丸三角形の第３の角丸部を構成している。図１に記載の例では、第１の円弧状外縁部１０４ｄの曲率半径と、第２の円弧状外縁部１０４ｅの曲率半径と、第３の円弧状外縁部１０４ｆの曲率半径とは、全て等しい。
【００２６】
ダウンチューブ１０６は、ダウンチューブ組立体１００の中心軸ＡＸに沿って配置され、飲料取出管として機能する。ダウンチューブ１０６の上端部の側壁には、飲料が通過可能な貫通孔１０６ｈが形成されている。
【００２７】
ダウンチューブ組立体１００は、ダウンチューブ１０６と同心状に配置される外筒部１０８を備えていてもよい。外筒部１０８には、ガスが通過可能な貫通孔１０８ｈが形成されている。図１に記載の例では、外筒部１０８の上端部は、鍔部１０３の内縁部に接続されている。
【００２８】
（第１の実施形態）
図３乃至図９を参照して、第１の実施形態における飲料取出器具１Ａについて説明する。図３は、第１の実施形態における飲料取出器具１Ａを模式的に示す概略縦断面図である。図４は、第１の実施形態における飲料取出器具１Ａを模式的に示す概略斜視図である。図５は、第１の実施形態における飲料取出器具１Ａを模式的に示す概略２面図である。図５の上側には、概略平面図が記載され、図５の下側には、概略側面図が記載されている。図６（ａ）は、ダウンチューブ組立体１００の鍔部１０３と位置合わせされた状態の取付部３０の一例を示す概略平面図である。また、図６（ｂ）は、ダウンチューブ組立体１００の鍔部１０３と位置合わせされた状態の取付部３０の一例を示す概略平面図であって、角丸三角形形状部分４１を強調表示するために、角丸三角形形状部分４１のみを実線で記載した図である。図７は、ダウンチューブ組立体１００の鍔部１０３と位置合わせされた状態の取付部３０の一例を示す概略平面図であって、角丸三角形形状部分４１を強調表示するために、角丸三角形形状部分４１のみを実線で記載した図である。図８は、ダウンチューブ組立体１００の鍔部１０３と位置合わせされた状態の取付部３０の一例を示す概略平面図である。なお、図６（ａ）、図６（ｂ）、図７および図８において、図面の複雑化を避けるために、取付部３０の上方の配置された部材の記載は省略されている。図９は、第１の実施形態における飲料取出器具１Ａを模式的に示す概略斜視図であって、飲料取出器具１Ａを斜め下方から見た時の図である。
【００２９】
図３に記載の例では、飲料取出器具１Ａは、プランジャ部材１０と、ハンドル部材２０と、取付部３０とを有するディスペンスヘッドである。飲料取出器具１Ａは、ガス供給流路ＧＴおよび／または飲料取出流路ＤＴを備えていてもよい。また、飲料取出器具１Ａは、プランジャ部材１０の下端部１０ｂと取付部３０の上方の周壁との間に配置されるシール部材Ｓ１を備えていてもよい。シール部材Ｓ１は、鍔部１０３の上面に接触する第１シール部と、プランジャ部材１０の下端部１０ｂに接触する第２シール部と、取付部３０の上方の周壁に接触する第３シール部とを備えていてもよい。
【００３０】
プランジャ部材１０は、ダウンチューブ組立体１００の飲料取出弁１０２の弁体１０２ａを押圧する部材である。プランジャ部材１０の下端部１０ｂが、弁体１０２ａ（図１を参照。）を押圧することにより、飲料取出弁１０２が開弁される。
【００３１】
ハンドル部材２０は、プランジャ部材１０を押し下げることが可能、かつ、引き上げることが可能な部材である。図４に記載の例では、ハンドル部材２０を第１軸ＡＸ１まわりに下方に回動させることにより、ハンドル部材２０の作動部２１が、プランジャ部材１０を下方に向けて押圧する。その結果、プランジャ部材１０が下方に押し下げられる。プランジャ部材１０が押し下げられることにより、プランジャ部材１０の下端部１０ｂが、ダウンチューブ組立体１００の飲料取出弁１０２の弁体１０２ａを下方に押圧する。
【００３２】
また、図４に記載の例では、ハンドル部材２０を第１軸ＡＸ１まわりに上方に回動させることにより、ハンドル部材２０の作動部２１が、プランジャ部材１０を上方に向けて押圧する。その結果、プランジャ部材１０が上方に引き上げられる。プランジャ部材１０が上方に引き上げられることにより、プランジャ部材１０の下端部１０ｂが、ダウンチューブ組立体１００の飲料取出弁１０２の弁体１０２ａから離間する。プランジャ部材１０の下端部１０ｂが、弁体１０２ａから離間すると、弁体１０２ａは、付勢部材による付勢力によって元の位置に復帰し、飲料取出弁１０２が閉弁される。
【００３３】
取付部３０は、ダウンチューブ組立体１００の鍔部１０３に取り付けられる部分である。
【００３４】
図３に記載の例では、取付部３０は、上壁３２と、側壁３６と、係合突起３８ａとを有する。
【００３５】
上壁３２は、取付部３０が鍔部１０３に取り付けられたときに、鍔部１０３の上方に配置されることとなる壁である。
【００３６】
側壁３６は、取付部３０が鍔部１０３に取り付けられたときに、鍔部１０３の周囲に配置されることとなる壁である。側壁３６は、例えば、鍔部１０３の周囲に配置される環状壁である。
【００３７】
係合突起３８ａは、側壁３６から内側に向けて突出し、鍔部１０３と係合する突起である。取付部３０が鍔部１０３に取り付けられたときに、鍔部１０３は、係合突起３８ａと上壁３２との間に配置されることとなる。
【００３８】
図３および図４に記載の例では、取付部３０には、鍔部１０３の３つの直線状外縁部（１０４ａ；１０４ｂ；１０４ｃ）のうちの１つと係合突起３８ａとを位置合わせするための位置合わせマーク４０が形成されている。位置合わせマーク４０は、上壁３２を上から見た時に視認可能なマークである。より具体的には、飲料取出器具１Ａをダウンチューブ組立体１００に取り付ける作業者が、プランジャ部材１０の上端部１０ｕからプランジャ部材１０の下端部１０ｂに向かう方向に沿って上壁３２を見た時に、作業者は、位置合わせマーク４０を視認することができる。
【００３９】
第１の実施形態における飲料取出器具１Ａの取付部３０には、位置合わせマーク４０が形成されている。このため、作業者は、位置合わせマーク４０によって示される方向を確認しながら取付部３０を鍔部１０３に取り付けることができる。その結果、飲料取出器具１Ａをダウンチューブ組立体１００に取り付ける作業が容易となる。
【００４０】
続いて、第１の実施形態において採用可能な任意付加的な構成について説明する。
【００４１】
（角丸三角形形状部分４１）
図５に示されるように、取付部３０の位置合わせマーク４０は、平面視で、角丸三角形形状部分４１を含んでいてもよい。ダウンチューブ組立体１００の鍔部１０３が角丸三角形形状外縁部１０４を備え、かつ、位置合わせマーク４０が角丸三角形形状部分４１を含む場合には、作業者は、直感的に、角丸三角形形状部分４１の機能（より具体的には、鍔部１０３の角丸三角形形状外縁部１０４と位置合わせするための位置合わせマーク４０としての機能）を認識することができる。
【００４２】
図６（ａ）に示されるように、角丸三角形形状部分４１の向きが、角丸三角形形状外縁部１０４の向きと整合するとき、３つの直線状外縁部（１０４ａ、１０４ｂ、１０４ｃ）のうちの１つと係合突起３８ａとが位置合わせされるように構成されていることが好ましい。
【００４３】
なお、角丸三角形形状部分４１の向きが、角丸三角形形状外縁部１０４の向きと整合するとは、例えば、（１）角丸三角形形状部分４１の中心Ｃ１から角丸三角形形状部分４１の１つの角丸部４１ｄに向かう方向ＤＲ１と、角丸三角形形状外縁部１０４の中心Ｃ２から１つの円弧状外縁部１０４ｄに向かう方向ＤＲ２とが、一致または平行になること、あるいは、（２）角丸三角形形状部分４１の１つの直線部４１ａと、１つの直線状外縁部１０４ａとが平行になることを意味する。
【００４４】
角丸三角形形状部分４１の向きが、角丸三角形形状外縁部１０４の向きと整合するとき、３つの直線状外縁部（１０４ａ、１０４ｂ、１０４ｃ）のうちの１つと係合突起３８ａとが位置合わせされるように構成されている場合、作業者は、角丸三角形形状部分４１の向きを、角丸三角形形状外縁部１０４の向きと整合させることによって、３つの直線状外縁部（１０４ａ、１０４ｂ、１０４ｃ）のうちの１つと係合突起３８ａとを容易に位置合わせすることができる。
【００４５】
なお、図６（ａ）に示されるように、角丸三角形形状部分４１の中心Ｃ１は、プランジャ部材１０の中心軸ＡＸ２上にあることが好ましい。
【００４６】
図６（ａ）に記載の例では、角丸三角形形状部分４１の角丸部４１ｄは、取付部３０の外縁によって形成されている。角丸三角形形状部分４１の角丸部４１ｄが、取付部３０の外縁によって形成されている場合、作業者は、平面視における取付部３０の全体的な形状を見て、角丸三角形形状部分４１の向きを把握することができる。よって、作業者は、より直感的に、角丸三角形形状部分４１の向きを把握することができる。また、角丸三角形形状部分４１の角丸部４１ｄが、取付部３０の外縁によって形成されている場合、角丸部４１ｄを形成するために専用の加工を施す必要がない。換言すれば、取付部３０の形成するための加工が、そのまま、角丸部４１ｄを形成するための加工となる。
【００４７】
なお、図６（ａ）に示されるように、角丸三角形形状部分４１の３つの角丸部（４１ｄ、４１ｅ、４１ｆ）の全てが、取付部３０の外縁部によって形成されていてもよい。
【００４８】
図６（ｂ）に記載の例では、第１の直線部４１ａは、角丸三角形形状部分４１の一辺を構成し、第２の直線部４１ｂは、角丸三角形形状部分４１の他の一辺を構成し、第３の直線部４１ｃは、角丸三角形形状部分４１の更に他の一辺を構成している。図６（ｂ）に記載の例では、第１の直線部４１ａと第２の直線部４１ｂとの間のなす角度α３は、６０度であり、第２の直線部４１ｂと第３の直線部４１ｃとの間のなす角度α１は、６０度であり、第３の直線部４１ｃと第１の直線部４１ａとの間のなす角度α２は、６０度である。また、図６（ｂ）に記載の例では、第１の直線部４１ａの長さＬ１と、第２の直線部４１ｂの長さＬ２と、第３の直線部４１ｃの長さＬ３とは、全て等しい。
【００４９】
図６（ｂ）に記載の例では、角度α１が６０度であり、角度α２が６０度であり、角度α３が６０度である。この場合、角丸三角形形状部分４１は、３つの角丸部を有する正三角形形状部分となる。角丸三角形形状部分４１が、３つの角丸部を有する正三角形形状部分となる場合、取付部３０が、プランジャ部材１０の中心軸ＡＸ２まわりに１２０度回転される毎に、３つの直線状外縁部（１０４ａ、１０４ｂ、１０４ｃ）のうちの１つと係合突起３８ａとが位置合わせされた状態となる。
【００５０】
図６（ｂ）に記載の例では、第１の角丸部４１ｄは、第２の直線部４１ｂと第３の直線部４１ｃとの間に配置された角丸部である。また、第２の角丸部４１ｅは、第１の直線部４１ａと第３の直線部４１ｃとの間に配置された角丸部である。また、第３の角丸部４１ｆは、第１の直線部４１ａと第２の直線部４１ｂとの間に配置された角丸部である。図６（ｂ）に記載の例では、第１の角丸部４１ｄの曲率半径Ｒ１と、第２の角丸部４１ｅの曲率半径Ｒ２と、第３の角丸部４１ｆの曲率半径Ｒ３とは、全て等しい。また、第１の角丸部４１ｄの曲率半径Ｒ１と第１の直線部４１ａの長さＬ１とは略等しい。
【００５１】
図６（ｂ）に記載の例では、角丸三角形形状部分４１を構成する第１の直線部４１ａ、第２の直線部４１ｂ、および、第３の直線部４１ｃが、平面視で、取付部３０の外縁よりも内側に配置されている。
【００５２】
代替的に、あるいは、付加的に、図７に示されるように、角丸三角形形状部分４１を構成する第１の直線部４１ａ’、第２の直線部４１ｂ’、および、第３の直線部４１ｃ’が、平面視で、取付部３０の外縁上に配置されていてもよい。
【００５３】
図８に記載の例では、角丸三角形形状部分４１の直線部４１ａに対応する領域ＡＲ１の下方に、係合突起３８ａが配置されている。なお、本明細書において、直線部４１ａに対応する領域ＡＲ１とは、平面視において、角丸三角形形状部分４１の中心Ｃ１と３つの角丸部（４１ｄ、４１ｅ、４１ｆ）の各々の中心とを結ぶ３つの直線（Ｌ４、Ｌ５、Ｌ６）によって、取付部３０を３分割した領域のうち、直線部４１ａが属する領域を意味する。
【００５４】
角丸三角形形状部分４１の直線部４１ａに対応する領域ＡＲ１の下方に、係合突起３８ａが配置されている場合には、直線部４１ａを、例えば、直線状外縁部１０４ａと位置合わせすることにより、直線状外縁部１０４ａと係合突起３８ａとが位置合わせされる。
【００５５】
なお、図８に記載の例では、取付部３０は、側壁３６から内側に向けて突出し、鍔部１０３と係合可能な第２の係合突起３８ｂ、および、側壁３６から内側に向けて突出し、鍔部１０３と係合可能な第３の係合突起３８ｃを備える。この場合、角丸三角形形状部分４１の直線部４１ｂに対応する領域ＡＲ２の下方に、係合突起３８ｂが配置され、角丸三角形形状部分４１の直線部４１ｃに対応する領域ＡＲ３の下方に、係合突起３８ｃが配置されていることが好ましい。なお、領域ＡＲ２とは、上述の３分割された領域のうち直線部４１ｂが属する領域を意味し、領域ＡＲ３とは、上述の３分割された領域のうち直線部４１ｃが属する領域を意味する。
【００５６】
図８に記載の例では、位置合わせマーク４０は、少なくとも１つの直線部４１ａを有する。また、図８に記載の例では、当該直線部４１ａと、鍔部１０３の３つの直線状外縁部（１０４ａ、１０４ｂ、１０４ｃ）のうちの１つとが平行に配置されることにより、３つの直線状外縁部（１０４ａ；１０４ｂ；１０４ｃ）のうちの１つと係合突起３８ａとが位置合わせされるように構成されている。この場合、作業者は、直線部４１ａと、鍔部１０３の３つの直線状外縁部（１０４ａ、１０４ｂ、１０４ｃ）のうちの１つとを平行に配置することにより、３つの直線状外縁部（１０４ａ；１０４ｂ；１０４ｃ）のうちの１つと係合突起３８ａとを位置合わせすることができる。
【００５７】
なお、位置合わせマーク４０は、３つの直線部（４１ａ、４１ｂ、４１ｃ）を有していてもよい。この場合、３つの直線部（４１ａ、４１ｂ、４１ｃ）と、鍔部１０３の３つの直線状外縁部（１０４ａ、１０４ｂ、１０４ｃ）とが、それぞれ平行に配置されることにより、３つの直線状外縁部（１０４ａ；１０４ｂ；１０４ｃ）のうちの１つと係合突起３８ａとが位置合わせされる。
【００５８】
図４に記載の例では、上壁３２は、第１表面３２ｕと、第１表面３２ｕに対して非平行な第２表面３２ａとを有し、第１の直線部４１ａは、第１表面３２ｕと第２表面３２ａとの境界によって形成されている。この場合、作業者は、第１の直線部４１ａの存在を容易に認識することができる。また、第１の直線部４１ａが、印刷ではなく、上壁３２の構造によって規定されているため、洗浄等によって第１の直線部４１ａが消失することがない。
【００５９】
図４に記載の例では、第２の直線部４１ｂが、第１表面３２ｕと第３表面３２ｂ（第１表面３２ｕに対して非平行な第３表面３２ｂ）との境界によって形成されている。また、第３の直線部４１ｃが、第１表面３２ｕと第４表面３２ｃ（第１表面３２ｕに対して非平行な第４表面３２ｃ）との境界によって形成されている。
【００６０】
図４に記載の例では、上壁３２の表面のうち第１の直線部４１ａの外側に配置された第２表面３２ａ、第２の直線部４１ｂの外側に配置された第３表面３２ｂ、および、第３の直線部４１ｃの外側に配置された第４表面３２ｃが、水平面（換言すれば、中心軸ＡＸ２に垂直な平面）に対して傾斜した傾斜面である。図４に記載の例では、当該傾斜面は、平面状の傾斜面であるが、当該傾斜面は、曲面状の傾斜面であってもよい。
【００６１】
図４に記載の例では、上壁３２の表面のうち第１表面３２ｕは、水平面（換言すれば、中心軸ＡＸ２に垂直な平面）である。代替的に、第１表面３２ｕは、傾斜面であってもよい。
【００６２】
第２表面３２ａ（または、第３表面３２ｂ、第４表面３２ｃ）が、中心軸ＡＸ２から離れるにつれて高さが低くなる傾斜面である場合、図３または図９に示されるように、上壁３２の内面３２ｔのうち第２表面３２ａ（または、第３表面３２ｂ、第４表面３２ｃ）の直ぐ裏側に位置する表面も、中心軸ＡＸ２から離れるにつれて高さが低くなる傾斜面ＡＳであることが好ましい。第２表面３２ａの裏面を傾斜面（平面状の傾斜面または曲面状の傾斜面）とすることにより、第２表面３２ａとその裏面との間の肉厚の変化を小さくすることができる。第２表面３２ａとその裏面との間の肉厚の変化を小さくすることにより、取付部３０の強度が確保され、また、取付部３０が形成される際（より具体的には、取付部３０が鋳造される際）の不良品の発生率が低下する。
【００６３】
（第２の実施形態）
図１０を参照して、第２の実施形態における飲料取出器具１Ｂについて説明する。図１０は、第２の実施形態における飲料取出器具１Ｂを模式的に示す概略２面図である。図１０の上側には、概略平面図が記載され、図１０の下側には、概略側面図が記載されている。
【００６４】
第２の実施形態では、第１の実施形態と異なる点を中心に説明し、第１の実施形態において説明済みの事項についての繰り返しとなる説明は省略する。よって、第２の実施形態において明示的に説明されなかったとしても、第２の実施形態において、第１の実施形態で説明済みの事項を採用可能であることは言うまでもない。
【００６５】
第１の実施形態における飲料取出器具１Ａの一例を示す図５には、側壁３６の外表面が、３つの平面部（３６ａ、３６ｂ、３６ｃ）、および、３つの曲面部（３６ｄ、３６ｅ、３６ｆ）を備える例が示されている。第１の平面部３６ａは、第１の直線部４１ａと平行であり、第２の平面部３６ｂは、第２の直線部４１ｂと平行であり、第３の平面部３６ｃは、第３の直線部４１ｃと平行である。また、３つの曲面部（３６ｄ、３６ｅ、３６ｆ）の各々は、円筒の外周面の一部分に対応する円弧状の曲面である。この場合、側壁３６の外表面は、平面視で、角丸三角形形状部分を形成することとなる。
【００６６】
これに対し、図１０に記載の例では、側壁３６の外表面は、平面視で、円形状を有する。換言すれば、側壁３６の外表面は、平面部を有しておらず、側壁３６の外表面は、円筒の外周面と同一の形状を有する。
【００６７】
第２の実施形態は、側壁３６の外表面の形状を除いて、第１の実施形態と同様である。よって、第２の実施形態における側壁３６以外の構成についての繰り返しとなる説明は省略する。
【００６８】
（飲料取出器具１をダウンチューブ組立体１００に取り付ける方法）
図１１乃至図１４を参照して、飲料取出器具１をダウンチューブ組立体１００に取り付ける取付方法について説明する。図１１は、実施形態における飲料取出器具１をダウンチューブ組立体１００に取り付ける取付方法の一例を示すフローチャートである。図１２は、ダウンチューブ組立体１００が組み込まれた飲料容器２００の一例を模式的に示す概略縦断面図である。図１３は、ダウンチューブ組立体１００の鍔部１０３と位置合わせされた状態の取付部３０の一例を示す概略平面図であって、実施形態における飲料取出器具１をダウンチューブ組立体１００に取り付ける取付方法の一工程を示す図である。図１４は、ダウンチューブ組立体１００の鍔部１０３と係合状態の取付部３０の一例を示す概略平面図であって、実施形態における飲料取出器具１をダウンチューブ組立体１００に取り付ける取付方法の一工程を示す図である。なお、図１３および図１４において、図面の複雑化を避けるために、取付部３０の上方の配置された部材の記載は省略されている。
【００６９】
第１ステップＳＴ１において、飲料容器２００が準備される。図１２に記載の例では、飲料容器２００は、内部に飲料Ｄが充填され、かつ、ダウンチューブ組立体１００が組み込まれた飲料容器である。
【００７０】
飲料容器２００は、例えば、ステンレス鋼製の飲料容器である。また、飲料容器２００に充填される飲料Ｄは、例えば、ビール等のアルコール飲料である。
【００７１】
ダウンチューブ組立体１００は、飲料取出弁１０２と、３つの直線状外縁部（１０４ａ、１０４ｂ、１０４ｃ）および３つの円弧状外縁部（１０４ｄ、１０４ｅ、１０４ｆ）によって形成される角丸三角形形状外縁部１０４を有する鍔部１０３と、ダウンチューブ１０６とを有する組立体である。ダウンチューブ組立体１００については、実施形態の説明の冒頭において説明済みであるため、ダウンチューブ組立体１００についての繰り返しとなる説明は省略する。なお、図１２に記載の例では、ダウンチューブ組立体１００の上端が、実質的に、フラットであるため、当該ダウンチューブ組立体１００を組み込んだ飲料容器２００は、フラットタイプの飲料容器２００と呼ばれる（これに対し、ダウンチューブ組立体の上端に、飲料取出器具の取付部を挿入可能な凹部が設けられたダウンチューブ組立体も存在する。当該ダウンチューブ組立体を組み込んだ飲料容器は、ウェルタイプの飲料容器と呼ばれる。）。
【００７２】
第２ステップＳＴ２において、図１３に示されるように、飲料取出器具１の取付部３０の係合突起３８ａと、ダウンチューブ組立体１００の鍔部１０３の３つの直線状外縁部（１０４ａ、１０４ｂ、１０４ｃ）のうちの１つとが位置合わせされる。図１３に記載の例では、係合突起３８ａと直線状外縁部１０４ａとが位置合わせされている。なお、飲料取出器具１は、第１の実施形態における飲料取出器具１Ａであってもよいし、第２の実施形態における飲料取出器具１Ｂであってもよいし、その他の飲料取出器具であってもよい。
【００７３】
第２ステップＳＴ２において、取付部３０の３つの係合突起（３８ａ、３８ｂ、３８ｃ）と、３つの直線状外縁部（１０４ａ、１０４ｂ、１０４ｃ）とが、それぞれ位置合わせされてもよい。なお、本明細書において、係合突起と直線状外縁部とが位置合わせされるとは、係合突起と直線状外縁部とが互いに係合しておらず、かつ、平面視で、係合突起と直線状外縁部とが互いに対向配置された状態にされることを意味する。
【００７４】
第２ステップＳＴ２（換言すれば、飲料取出器具１の取付部３０の係合突起３８ａと、３つの直線状外縁部（１０４ａ、１０４ｂ、１０４ｃ）のうちの１つとを位置合わせする工程）は、取付部３０を上方から見た時に視認可能な位置合わせマーク４０の向きを、角丸三角形形状外縁部１０４の向きと整合させることにより行われる。
【００７５】
位置合わせマーク４０の向きを、角丸三角形形状外縁部１０４の向きと整合させることは、例えば、（１）取付部３０の角丸三角形形状部分４１の向きを、角丸三角形形状外縁部１０４の向きと整合させること、または、（２）取付部３０の少なくとも１つの直線部（４１ａ；４１ｂ；４１ｃ）と、３つの直線状外縁部（１０４ａ、１０４ｂ、１０４ｃ）のうちの１つとを平行に配置すること、を意味する。
【００７６】
第３ステップＳＴ３において、図１４に示されるように、飲料取出器具１の取付部３０を、ダウンチューブ組立体１００の鍔部１０３に対して相対回転させることにより、取付部３０の係合突起３８ａと、鍔部１０３の３つの円弧状外縁部（１０４ｄ、１０４ｅ、１０４ｆ）のうちの１つとが互いに係合される。当該相対回転は、例えば、取付部３０を、プランジャ部材１０の中心軸ＡＸ２まわりに回転させることにより行われる。図１４に記載の例では、係合突起３８ａと、円弧状外縁部１０４ｅとが係合状態にされている。
【００７７】
第３ステップＳＴ３において、飲料取出器具１の取付部３０を、ダウンチューブ組立体１００の鍔部１０３に対して相対回転させることにより、取付部３０の３つの係合突起（３８ａ、３８ｂ、３８ｃ）と、３つの円弧状外縁部（１０４ｄ、１０４ｅ、１０４ｆ）とが、それぞれ係合されてもよい。
【００７８】
実施形態における飲料取出器具をダウンチューブ組立体に取り付ける取付方法では、作業者は、取付部３０を上方から見た時に視認可能な位置合わせマーク４０を参照して、取付部３０の係合突起３８ａと、３つの直線状外縁部（１０４ａ、１０４ｂ、１０４ｃ）のうちの１つとを位置合わせすることができる。よって、作業者は、飲料取出器具１をダウンチューブ組立体１００に取り付ける作業を容易に実施することができる。
【００７９】
（飲料取出器具１の外観）
図１５乃至図２０を参照して、飲料取出器具１の外観について説明する。図１５は、実施形態における飲料取出器具１の一例を示す６面図である。図１５（ａ）には、正面図が記載され、図１５（ｂ）には、背面図が記載され、図１５（ｃ）には、平面図が記載され、図１５（ｄ）には、底面図が記載され、図１５（ｅ）には、右側面図が記載され、図１５（ｆ）には、左側面図が記載されている。図１６は、図１５のＢ−Ｂ矢視断面図である。なお、図１６において、取付部３０の内部に配置される部材の記載は省略されている。図１７は、実施形態における飲料取出器具１の一例を示す斜視図である。図１８は、実施形態における飲料取出器具１の他の一例を示す６面図である。図１８（ａ）には、正面図が記載され、図１８（ｂ）には、背面図が記載され、図１８（ｃ）には、平面図が記載され、図１８（ｄ）には、底面図が記載され、図１８（ｅ）には、右側面図が記載され、図１８（ｆ）には、左側面図が記載されている。図１９は、図１８のＣ−Ｃ矢視断面図である。なお、図１９において、取付部３０の内部に配置される部材の記載は省略されている。図２０は、実施形態における飲料取出器具１の他の一例を示す斜視図である。
【００８０】
図１５または図１８における飲料取出器具１は、飲料容器に取り付けて、生ビール等の飲料を取り出すために使用されるディスペンスヘッドである。ディスペンスヘッドは、プランジャ部材と、ハンドル部材と、飲料容器に取り付けるための取付部とを備える。取付部には、取付部を上から見た時に視認可能な位置合わせマークが設けられている。当該位置合わせマークは、角丸三角形形状部分を有する。
【００８１】
図１５および図１７において、デザイン上重要な部分は、取付部３０であって、取付部（デザイン上重要な部分）のみ実線で表され、取付部以外の部分は、破線で表されている。なお、図１７において、斜線が付与された部分が取付部３０である。同様に、図１８および図２０において、デザイン上重要な部分は、取付部３０であって、取付部（デザイン上重要な部分）のみ実線で表され、取付部以外の部分は、破線で表されている。なお、図２０において、斜線が付与された部分が取付部３０である。
【００８２】
本発明は上記各実施形態に限定されず、本発明の技術思想の範囲内において、各実施形態は適宜変形又は変更され得ることは明らかである。また、各実施形態で用いられる種々の技術は、技術的矛盾が生じない限り、他の実施形態にも適用可能である。さらに、各実施形態における任意付加的な構成は、適宜省略可能である。
【符号の説明】
【００８３】
１、１Ａ、１Ｂ：飲料取出器具
１０      ：プランジャ部材
１０ｂ    ：下端部
１０ｕ    ：上端部
２０      ：ハンドル部材
２１      ：作動部
３０      ：取付部
３２      ：上壁
３２ａ    ：第２表面
３２ｂ    ：第３表面
３２ｃ    ：第４表面
３２ｔ    ：内面
３２ｕ    ：第１表面
３６      ：側壁
３６ａ    ：第１の平面部
３６ｂ    ：第２の平面部
３６ｃ    ：第３の平面部
３８ａ    ：係合突起
３８ｂ    ：第２の係合突起
３８ｃ    ：第３の係合突起
４０      ：位置合わせマーク
４１      ：角丸三角形形状部分
４１ａ    ：第１の直線部
４１ａ'  ：第１の直線部
４１ｂ    ：第２の直線部
４１ｂ'  ：第２の直線部
４１ｃ    ：第３の直線部
４１ｃ'  ：第３の直線部
４１ｄ    ：第１の角丸部
４１ｅ    ：第２の角丸部
４１ｆ    ：第３の角丸部
１００    ：ダウンチューブ組立体
１０２    ：飲料取出弁
１０２ａ  ：弁体
１０３    ：鍔部
１０４    ：角丸三角形形状外縁部
１０４ａ  ：第１の直線状外縁部
１０４ｂ  ：第２の直線状外縁部
１０４ｃ  ：第３の直線状外縁部
１０４ｄ  ：第１の円弧状外縁部
１０４ｅ  ：第２の円弧状外縁部
１０４ｆ  ：第３の円弧状外縁部
１０６    ：ダウンチューブ
１０６ｈ  ：貫通孔
１０８    ：外筒部
１０８ｈ  ：貫通孔
２００    ：飲料容器
ＡＳ      ：傾斜面
ＡＸ      ：中心軸
ＡＸ１    ：第１軸
ＡＸ２    ：中心軸
Ｄ        ：飲料
ＤＰ      ：飲料流路
ＤＴ      ：飲料取出流路
ＧＰ      ：ガス流路
ＧＴ      ：ガス供給流路
Ｓ１      ：シール部材
【図１】
2020100437.tif 000003
【図２】
2020100437.tif 000004
【図３】
2020100437.tif 000005
【図４】
2020100437.tif 000006
【図５】
2020100437.tif 000007
【図６】
2020100437.tif 000008
【図７】
2020100437.tif 000009
【図８】
2020100437.tif 000010
【図９】
2020100437.tif 000011
【図１０】
2020100437.tif 000012
【図１１】
2020100437.tif 000013
【図１２】
2020100437.tif 000014
【図１３】
2020100437.tif 000015
【図１４】
2020100437.tif 000016
【図１５】
2020100437.tif 000017
【図１６】
2020100437.tif 000018
【図１７】
2020100437.tif 000019
【図１８】
2020100437.tif 000020
【図１９】
2020100437.tif 000021
【図２０】
2020100437.tif 000022